(57)【要約】【課題】プラグインターフェース接触部の改善された設計と対応する補償方法とを有する通信ジャックを提供することを目的とする。【解決手段】本発明は、一般に、通信コネクタとその内部部品とに関連する。一実施形態では、本発明は、前回転プラグ接触部と後回転プラグ接触部の両方を備える通信ジャックである。別の実施形態では、本発明は、ツーピースの前側スレッドを備える通信ジャックである。さらに別の実施形態では、本発明は、８極プラグと６極プラグの両方にはめ合わされた時に、その機能を保ち続ける通信ジャックである。【選択図】図３
2018120873.tif 000002
【特許請求の範囲】
【請求項１】
プラグを受け入れるための開口部を有する筐体と、
前記開口部に少なくとも部分的に配置され、それぞれが前記前記開口部に近接した端領域を含み、第１の差動ペアを形成する、第１のプラグインターフェース接触部及び第２のプラグインターフェース接触部と、
前記開口部に少なくとも部分的に配置され、それぞれ前記前記開口部に近接した端領域を含み、第２の差動ペアを形成する、第３のプラグインターフェース接触部及び第４のプラグインターフェース接触部と、
を備える、通信ジャックであって、
前記第１のプラグインターフェース接触部の前記端領域と前記第４のプラグインターフェース接触部の前記端領域は、側面から見た際にＳ字形状を有し、
前記第２のプラグインターフェース接触部の前記端領域と前記第３のプラグインターフェース接触部の前記端領域は、側面から見た際にＣ字形状を有する、通信ジャック。
【請求項２】
前記第１のプラグインターフェース接触部及び前記第２のプラグインターフェース接触部が前記第３のプラグインターフェース接触部及び前記第４のプラグインターフェース接触部を挟む、請求項１に記載の通信ジャック。
【請求項３】
前記第３のプラグインターフェース接触部は、それぞれの前記端領域において前記第４のプラグインターフェース接触部を跨ぐ、請求項１に記載の通信ジャック。
【請求項４】
前記第１、第２、第３、及び、第４のプラグインターフェース接触部が対応する通信プラグのプラグ接触部それぞれと適合する接触領域をさらに含み、
前記接触領域において、前記第３のプラグインターフェース接触部及び前記第４のプラグインターフェース接触部が互いに隣接して配置され、前記第１のプラグインターフェース接触部が前記第３のプラグインターフェース接触部に隣接して配置され、前記第２のプラグインターフェース接触部が前記第４のプラグインターフェース接触部に隣接して配置
され、
前記第２のプラグインターフェース接触部がぞれぞれの前記端領域の一部において前記第３のプラグインターフェース接触部と隣接して配置され、
前記第１のプラグインターフェース接触部がぞれぞれの前記端領域の一部において前記第４のプラグインターフェース接触部と隣接して配置される、請求項１に記載の通信ジャック。
【請求項５】
前記第１、第２、第３、及び、第４のプラグインターフェース接触部の少なくとも１つが、その前記端領域において支持される、請求項１に記載の通信ジャック。
【請求項６】
プラグを受け入れるための開口部を有する筐体と、
前記開口部に少なくとも部分的に配置され、それぞれが前記前記開口部に近接した端領域と通信ジャック内に固定された固定端とを含み、第１の差動ペアを形成する、第１のプラグインターフェース接触部及び第２のプラグインターフェース接触部と、
前記開口部に少なくとも部分的に配置され、それぞれ前記前記開口部に近接した端領域を含み、第２の差動ペアを形成する、第３のプラグインターフェース接触部及び第４のプラグインターフェース接触部と、
前記開口部に少なくとも部分的に配置され、それぞれ前記前記開口部に近接した端領域と通信ジャック内に固定された固定端と前記端領域内の直交湾曲部とを含み、第２の差動ペアを形成する、第３のプラグインターフェース接触部及び第４のプラグインターフェース接触部と、
を備える、通信ジャックであって、
前記第３のプラグインターフェース接触部がそれぞれの前記端領域内の前記直交湾曲部において前記第４のプラグインターフェース接触部を跨ぐ、通信ジャック。
【請求項７】
前記第１、第２、第３、及び、第４のプラグインターフェース接触部が対応する通信プラグのプラグ接触部それぞれと適合する接触領域をさらに含み、
前記接触領域において、前記第３のプラグインターフェース接触部及び前記第４のプラグインターフェース接触部が互いに隣接して配置され、前記第１のプラグインターフェース接触部が前記第３のプラグインターフェース接触部に隣接して配置され、前記第２のプラグインターフェース接触部が前記第４のプラグインターフェース接触部に隣接して配置され、
前記第２のプラグインターフェース接触部がぞれぞれの前記端領域の一部において前記第３のプラグインターフェース接触部と隣接して配置され、
前記第１のプラグインターフェース接触部がぞれぞれの前記端領域の一部において前記第４のプラグインターフェース接触部と隣接して配置される、請求項６に記載の通信ジャック。
【請求項８】
前記第１、第２、第３、及び、第４のプラグインターフェース接触部の少なくとも１つが、その前記端領域において支持される、請求項６に記載の通信ジャック。
【請求項９】
前記第１のプラグインターフェース接触部及び前記第２のプラグインターフェース接触部が前記第３のプラグインターフェース接触部及び前記第４のプラグインターフェース接触部を挟む、請求項６に記載の通信ジャック。
【請求項１０】
前記第１、第２、第３、及び、第４のプラグインターフェース接触部の少なくとも１つがそれぞれの前記端領域に亘って電流路を提供しない、請求項６に記載の通信ジャック。
【請求項１１】
前記第１、第２、第３、及び、第４のプラグインターフェース接触部の少なくとも１つがプリント回路内に固定されたそれぞれの前記固定端を有する、請求項６に記載のジャック。
【請求項１２】
プラグを受け入れるための開口部を有する筐体と、
前記開口部に少なくとも部分的に配置され、それぞれが前記前記開口部に近接した端領域と通信ジャック内に固定された固定端とを含み、第１の差動ペアを形成する、第１のプラグインターフェース接触部及び第２のプラグインターフェース接触部と、
前記開口部に少なくとも部分的に配置され、それぞれ前記前記開口部に近接した端領域を含み、第２の差動ペアを形成する、第３のプラグインターフェース接触部及び第４のプラグインターフェース接触部と、
前記開口部に少なくとも部分的に配置され、それぞれ前記前記開口部に近接した端領域と通信ジャック内に固定された固定端とを含み、第２の差動ペアを形成する、第３のプラグインターフェース接触部及び第４のプラグインターフェース接触部と、
前記第１、第２、第３、及び、第４のプラグインターフェース接触部が対応する通信プラグのプラグ接触部それぞれと適合する接触領域と、
を備える、通信ジャックであって、
前記接触領域において、前記第３のプラグインターフェース接触部及び前記第４のプラグインターフェース接触部が互いに隣接して配置され、前記第１のプラグインターフェース接触部が前記第３のプラグインターフェース接触部に隣接して配置され、前記第２のプラグインターフェース接触部が前記第４のプラグインターフェース接触部に隣接して配置され
前記第３のプラグインターフェース接触部が、通信ジャックが対応する前記通信プラグと結合される際に、前記第４のプラグインターフェース接触部のたわみの角度と異なる角度でたわむ、通信ジャック。
【請求項１３】
前記第１、第２、第３、及び、第４のプラグインターフェース接触部の少なくとも１つがそれぞれの前記端領域に亘って電流路を提供しない、請求項１２に記載の通信ジャック。
【請求項１４】
前記第３のプラグインターフェース接触部は、それぞれの前記端領域において前記第４のプラグインターフェース接触部を跨ぐ、請求項１２に記載の通信ジャック。
【請求項１５】
前記第３のプラグインターフェース接触部の前記直交湾曲部の方向が、前記第４のプラグインターフェース接触部の前記直交湾曲部の方向と異なる、請求項６に記載の通信ジャック。
【請求項１６】
前記第４のプラグインターフェース接触部の前記端領域が、側面から見た際にＳ字形状を有する、請求項６に記載の通信ジャック。
【請求項１７】
前記第３のプラグインターフェース接触部の前記端領域が、側面から見た際にＣ字形状を有する、請求項１６に記載の通信ジャック。
【請求項１８】
前記第４のプラグインターフェース接触部の前記端領域が、側面から見た際にＳ字形状を有する、請求項１２に記載の通信ジャック。
【請求項１９】
前記第３のプラグインターフェース接触部の前記端領域が、側面から見た際にＣ字形状を有する、請求項１８に記載の通信ジャック。
【請求項２０】
前記第１のプラグインターフェース接触部の前記端領域が、側面から見た際にＳ字形状を有し、前記第２のプラグインターフェース接触部の前記端領域が、側面から見た際にＣ字形状を有する、請求項１９に記載の通信ジャック。
【発明の詳細な説明】
【技術分野】
【０００１】
関連出願の相互参照
本出願は、２０１３年３月１１日に出願されたＵ．Ｓ．  Ｐｒｏｖｉｓｉｏｎａｌ  Ｐａｔｅｎｔ  Ａｐｐｌｉｃａｔｉｏｎ  Ｎｏ．：６１／７７５，８４６と、２０１４年３月１０日に出願されたＵ．Ｓ．  Ｐａｔｅｎｔ  Ａｐｐｌｉｃａｔｉｏｎ  Ｎｏ．：１４／２０３，０５７との利益を主張し、それらはその全体が参照により本明細書に組み込まれる。
【０００２】
本発明は、一般に、通信コネクタの分野に関連し、より具体的には、プラグインターフェース接触部の配置と、通信ジャックとの使用のためのプラグインターフェース接触部を有する前側スレッド部分組立品と、そのような前側スレッド部分組立品を用いる通信ジャックに関する。
【背景技術】
【０００３】
ＲＪ４５ジャックなどの通信コネクタは、通信業界において容易に用いられており、また用いられ続ける。これらのジャックは、一般に、対応するプラグを受け入れるための開口部を一端に有する筐体と、別の一端における通信ケーブルを終端処理するための手段と、電気信号をプラグと通信ケーブルとの間で伝達するための手段とを備える。
【０００４】
ＲＪ４５ジャックでは、電気信号を伝達するための手段は、通常、８つのプラグインターフェース接触部（ＰＩＣ）を含む。８つのＰＩＣが、８極のＲＪ４５プラグに配置された８つのプラグ接触部をそれぞれ接続するように設計されている一方、６極プラグ（たとえば、ＲＪ１２、ＲＪ２５）をＲＪ４５ジャックに接続することも可能である。しかしながら、８極プラグと比較して、プラグ接触部１及びプラグ接触部８が６極プラグには存在しない。したがって、プラグ接触部が存在しない場所では、ジャックのＰＩＣは、プラグ接触部が存在する場所に比べて、より大きなたわみに耐えなければならない。この追加的なたわみは、外側ＰＩＣが塑性的に変形する原因となり、変形が十分に大きい場合、ジャックにダメージを与える（もしくは、特定の仕様内での動作を妨げる）原因になる。
【０００５】
加えて、時には、ＰＩＣの位置／配置は、プラグ／ジャックの組み合わせの中で生成されるクロストークの量、及び／またはクロストークを補う方法にいくらかの影響を与えることができる。これは、プラグ／ジャックのはめ合い部の近さとジャック内の補償ネットワークとによって特に影響を受ける。
【０００６】
したがって、プラグインターフェース接触部の改善された設計と対応する補償方法とを有する通信ジャックに対する必要性が存在する。
【発明の概要】
【課題を解決するための手段】
【０００７】
したがって、本発明の実施形態は、通信コネクタ及び／またはその内部部品に向けられる。
【０００８】
一実施形態では、本発明は、前回転プラグインターフェース接触部と後回転プラグインターフェース接触部の両方を備える通信ジャックである。
【０００９】
別の実施形態では、本発明は、ツーピースの前側スレッドを備える通信ジャックである。
【００１０】
さらに別の実施形態では、本発明は、８極プラグと６極プラグの両方とはめ合された時に、機能を維持し続ける通信ジャックである。
【００１１】
さらに別の実施形態では、本発明は、プラグを受け入れるための開口部を有する筐体と、開口部に少なくとも部分的に受け入れられる複数のプラグインターフェース接触部とを有する通信コネクタである。複数のプラグインターフェース接触部は開口部に近接した各端部を含み、複数のプラグインターフェース接触部は開口部から遠位の各端部を有し、遠位端はコネクタ内で固定され、近位端は支えられて遠位端に対して回転し、近位端はばね部を含む。本実施形態の変形では、通信コネクタは通信システムで使用される。
【００１２】
またさらに別の実施形態では、本発明は、プラグを受け入れるための開口部を有する筐体と、開口部に少なくとも部分的に受け入れられる複数のプラグインターフェース接触部とを有する通信コネクタである。複数のプラグインターフェース接触部は開口部に近接した各端部を含み、複数のプラグインターフェース接触部は開口部から遠位の各端部を有し、遠位端はコネクタ内で固定され、近位端は遠位端に対して回転し、近位端は接触領域を含み、接触領域はばねによって支えられている。
【００１３】
本発明のこれら及び他の特徴、態様、及び利点は、以下の図面と説明と、その後に続き得る特許請求の範囲とを参照して、より良く理解される。
【図面の簡単な説明】
【００１４】
【図１】本発明の一実施形態による通信システムの図である。
【図２】本発明の一実施形態による、プラグとジャックとの組み合わせの図である。
【図３】本発明の一実施形態による、通信ジャックの分解図である。
【図４Ａ】本発明の一実施形態による、前側スレッド部分組立品の正面斜視図である。
【図４Ｂ】図４Ａの前側スレッド部分組立品の後面斜視図である。
【図４Ｃ】図４Ａの前側スレッド部分組立品の分解図である。
【図４Ｄ】図４Ａの前側スレッド部分組立品のプラグインターフェース接触部の側面図である。
【図４Ｅ】図４Ａの前側スレッド部分組立品のプラグインターフェース接触部の側面図である。
【図５】図４Ａの前側スレッド部分組立品の組み立て工程のステップの図である。
【図６Ａ】図４Ａの前側スレッド部分組立品の組み立て工程の別のステップの図である。
【図６Ｂ】図４Ａの前側スレッド部分組立品の組み立て工程の別のステップの図である。
【図７】図４Ａの前側スレッド部分組立品の組み立て工程のさらに別のステップの図である。
【図８Ａ】図４Ａの前側スレッド部分組立品の組み立て工程のまたさらに別のステップの図である。
【図８Ｂ】図４Ａの前側スレッド部分組立品の組み立て工程のまたさらに別のステップの図である。
【図９】本発明の一実施形態による、通信ジャックの分解図である。
【図１０】本発明の一実施形態による、前側スレッド部分組立品の正面斜視図である。
【図１１】図１０の前側スレッド部分組立品の分解図である。
【図１２】図１０の前側スレッド部分組立品のプラグインターフェース接触部のうちのいくつかの側面図である。
【図１３Ａ】プラグインターフェース接触部がインストールされていない、図１０の前側スレッド部分組立品の正面斜視図である。
【図１３Ｂ】プラグインターフェース接触部がインストールされた、図１０の前側スレッド部分組立品の正面斜視図である。
【図１４】図１０の前側スレッド部分組立品の側面図である。
【図１５】図１０の前側スレッド部分組立品のプラグインターフェース接触部のいくつかの図である。
【図１６】図１０の前側スレッド部分組立品の後面斜視図である。
【図１７】本発明の一実施形態による通信ジャックの分解図である。
【図１８Ａ】本発明の一実施形態による前側スレッド部分組立品の正面斜視図である。
【図１８Ｂ】図１８Ａの前側スレッド部分組立品の後面斜視図である。
【図１９】図１８Ａの前側スレッド部分組立品の側面図である。
【図２０】図１８Ａの前側スレッド部分組立品の部分平面図である。
【図２１】開いた状態にある、図１８Ａの前側スレッド部分組立品の正面斜視図である。
【図２２】図１８Ａの前側スレッド部分組立品の組み立て工程のステップの図である。
【図２３】図１８Ａの前側スレッド部分組立品の組み立て工程の別のステップの図である。
【図２４】本発明の一実施形態による通信ジャックの分解図である。
【図２５】本発明の一実施形態による前側スレッド部分組立品の正面斜視図である。
【図２６】図２５の前側スレッド部分組立品の側面図である。
【図２７】図２５の前側スレッド部分組立品のプラグインターフェース接触部４からプラグインターフェース接触部６の一実施形態の斜視図である。
【図２８】図２５の前側スレッド部分組立品のプラグインターフェース接触部１とプラグインターフェース接触部２とプラグインターフェース接触部７とプラグインターフェース接触部８との斜視図である。
【図２９】図２５の前側スレッド部分組立品の正面斜視図である。
【図３０】図２５の前側スレッド部分組立品の後面斜視図である。
【図３１】図２５の前側スレッド部分組立品の底面等角図である。
【図３２】図２５のプリント基板の一実施形態の斜視図である。
【図３３】図３２のプリント基板の４つの層のための図柄の平面図である。
【図３４】図３３のプリント基板の概略図である。
【発明を実施するための形態】
【００１５】
本発明の例示的実施形態を図１に示し、図１は、ジャック３４を有する配線盤３２と対応するＲＪ４５プラグ３６とを含む通信システム３０を示している。各ケーブル３８はプラグ３６で終わり、各ケーブル４０はジャック３４で終わる。一旦プラグ３６がジャック３４にはめ合わさると、データが、これらのコネクタの中を通って両方向に流れることができる。通信システム３０を図１に配線盤を有するとして示したが、代替的な実施形態は、他の能動的または受動的な機器を含むことができる。受動的な機器の例は、モジュール式配線盤、パンチダウン配線盤、カプラ配線盤、壁のジャックなどであることができるが、これらに限定されない。能動的な機器の例は、データセンター及び／または通信室で見つけることができる、イーサネット（登録商標）スイッチ、ルータ、サーバ、物理層管理システム、及びパワー・オーバー・イーサネット（登録商標）機器、セキュリティデバイス（カメラ及び他のセンサ、など）及びドアアクセス機器、及びワークステーションエリアで見つけることができる、電話、コンピュータ、ファックス、プリンタ、及び他の周辺機器であることができるが、これらに限定されない。通信システム３０は、キャビネットと、ラックと、ケーブル管理及び天井配線システムと、他のそのような機器とをさらに含むことができる。
【００１６】
図１のジャックとプラグとの組み合わせは、また、図２にも示され、図２は、ＲＪ４５プラグ３６にはめ合わされたネットワークジャック３４を示している。この図では、ネットワークジャック３４とＲＪ４５プラグ３６との方向を、図１の方向に比べて、ケーブル４０の中心軸の周りで１８０°回転させていることに留意する。
【００１７】
図３は、ネットワークジャック３４の分解図を示し、ネットワークジャック３４は、前側筐体４２と、前側スレッド部分組立品４４と、（いくつかの実施形態では、そこにクロストーク補償部品を有し得る）プリント基板（ＰＣＢ）４６と、圧接（ＩＤＣ）サポート４８と、ＩＤＣ５０と、後側筐体５２と、ワイヤキャップ５４とを含む。現在説明している実施形態では、前側スレッド部分組立品４４は、第１のセットのＰＩＣ５６と第２のセットのＰＩＣ６０とを含み、前側スレッド５８は、プラスチックを含むがこれに限定されない適切な材料から作成することができる。代替的な実施形態では、ジャック３４は、金属の薄片などの、性質の異なるクロストーク軽減材料をさらに含むことができる。
【００１８】
図４Ａ、図４Ｂ、及び図４Ｃは、ＰＩＣ５６とＰＩＣ６０と前側スレッド５８とを有する前側スレッド部分組立品４４をより詳細に示している。各ＰＩＣ５６、ＰＩＣ６０に対する下付きの番号は、ＡＮＳＩ／ＴＩＡ−５６８−Ｃ．２によって定義されるＲＪ４５のピン位置に対応する。図４Ｃに示す通り、ＰＩＣ５６は、ＰＩＣ６０の構成とは異なる構成を有する。より具体的には、ＰＩＣ５６を「前回転」と呼ぶことができ、それらのＰＩＣが、一般に、対応するプラグにはめ合わされた時、スレッド５８の前側領域５７の辺りで曲がることを暗示している。図４Ｄは、（全てのＰＩＣ５６の側面の代表である）ＰＩＣ５６のうちの１つの側面を示している。各ＰＩＣ５６は、柔軟ピン７４と、下側ビーム部８０と、自由端部８４と、下側ビーム部８０と自由端部８４とを接続する湾曲部８２とを含む。
【００１９】
ＰＩＣ５６の前旋回設計は、自由端部８４が、８極のＲＪ４５プラグ接触部との許容可能な垂直抗力も維持しながら、塑性変形の前に、より大きな下向きのたわみに耐えることを可能にすることができる。これらの特性は、ＰＩＣ５６１とＰＩＣ５６８とを残りのＰＩＣよりも強い度合いでゆがめる６極プラグにはめ合わせた後に、ジャックがその機能を保持し続けることを可能にすることに役立つことができる。同様に、これらの特性は、また、ＰＩＣ５６１とＰＩＣ５６２とＰＩＣ５６７とＰＩＣ５６８とを残りのＰＩＣよりも強い度合いでゆがめる４極プラグ（たとえば、ＲＪ９）にはめ合わせた後に、ジャックがその機能を保持し続けることを可能にすることに役立つことができる。
【００２０】
第２のセットのＰＩＣ（ＰＩＣ６０）を「後回転」と呼ぶことができ、それらのＰＩＣが、一般に、スレッド５８の後部５９において曲がることを暗示している。図４Ｅは、（全てのＰＩＣ６０の側面の代表である）ＰＩＣ６０のうちの１つの側面を示している。各ＰＩＣ６０は、柔軟ピン７４と、第１の湾曲部８６と、第２の湾曲部８８と、上側ビーム部９０と、上側ビーム部９０を脚部９４に結合する第１の結合部９２と、脚部９４を自由端部９８に結合する第２の結合部９６とを含む。
【００２１】
ＰＩＣ６０の設計は、ＲＪ４５のペア４：５とペア３：６とが、プラグ３６のプラグ接触部からＰＣＢ４６までのより短い電気路を有することを可能にする。短くなった距離は、４：５ペアと３：６ペアとで生じ得る及び／または発生し得る望ましくないクロストークを減少させるのに役立ち、そうでなければ減少させることを補助することに役立つことができる。
【００２２】
図５から図８は、一実施形態による前側スレッド部分組立品４４の組み立てを示している。組み立ての特定の順番を説明するが、組み立て工程のうちの少なくともいくつかのステップの順番を変更することができるということを当業者が認識する、ということに留意する。前側スレッド部分組立品４４は、初めに、部分的に形成されたＰＩＣ６０を前側スレッド５８に挿入することによって作られる。図５に示す通り、ＰＩＣ６０は、前側スレッド５８の上部から挿入される。前側スレッドの前側くし部６４及び前側スレッドの後側くし部７０は、各ＰＩＣを隣接するＰＩＣから離す。スレッド５８に挿入されると、ＰＩＣ６０は、後部５９によって少なくとも部分的に支えられる。ＰＩＣ６０は、図６Ａに示す通り、後部５９において、固定形状部６２を介してさらに固定される。いくつかの実施形態では、固定形状部６２は杭状であることができる。ＰＩＣ６０の組み立てを終了するために、ＰＩＣ６０の第２の結合部９６及び自由端部９８が、図６Ｂに示す通り、心棒６８の周りに巻きつけられ、前側巻き部７２を作る。前側巻き部７２及び固定形状部６２は、ＰＩＣ６０に少なくともいくらかの押さえを提供し、それらを正しい位置に保ち、望まない自由度を減らすまたはなくす。加えて、前側巻き部７２は、ＰＩＣ６０がプラグの挿入中に内側に動くことを、ＰＩＣ６０が後方向に移動することを防ぐことによって防ぐ。
【００２３】
ＰＩＣ６０を組み立てた後、図７に示す通り、ＰＩＣ５６を前側スレッド５８に接合し、下側ビーム部８０が前側スレッド５８の下部に沿って伸びるようにする。ＰＩＣ５６を前側スレッド５８に完全に接合した時、ＰＩＣ５６は、図８Ａに示す通り、少なくとも１つの固定形状部７２によって固定される。その後、図８Ｂの方向性矢印によって示す通り、湾曲部８２と自由端部８４とを前側心棒６８の周りに巻きつける。
【００２４】
ＰＩＣ５６のセットとＰＩＣ６０のセットの両方を前側スレッド５８に組み立てたら、それらをＰＣＢ４６に柔軟ピン７４を介して取り付ける。その後、前側スレッド部分組立品４４とＰＣＢ４６とを、残りの構成要素と共に、前側筐体４２と後側筐体５２とに組み立て、ジャック３４の組み立てを完了する。
【００２５】
本発明の一実施形態による、前側スレッド部分組立品を有するジャックの別の実施形態を図９に示す。この図は、ネットワークジャック１３４の分解図を示しており、それは、前側筐体１４２と、前側スレッド部分組立品１４４と、（いくつかの実施形態では、そこにクロストーク補償部品を有し得る）ＰＣＢ１４６と、ＩＤＣサポート１４８と、ＩＤＣ１５０と、後側筐体１５２と、ワイヤキャップ１５４とを含む。現在説明している実施形態では、前側スレッド部分組立品１４４は、第１のセットのＰＩＣ１５６と第２のセットのＰＩＣ１６０と、プラスチックを含むがこれに限定されない適切な材料から作ることができる前側スレッド１５８とを含む。代替実施形態では、ジャック１３４は、金属の薄片などの、性質の異なるクロストーク軽減材料をさらに含むことができる。
【００２６】
図１０及び図１１は、ＰＩＣ１５６とＰＩＣ１６０と前側スレッド１５８とを有する前側スレッド部分組立品１４４をより詳細に示している。各ＰＩＣ１５６、ＰＩＣ１６０に対する下付きの番号は、ＡＮＳＩ／ＴＩＡ−５６８−Ｃ．２によって定義されるＲＪ４５のピン位置に対応する。
【００２７】
図１１に示す通り、ＰＩＣ１５６は、先に説明した実施形態のＰＩＣ５６と同様の構成を有している。従って、ＰＩＣ１５６は、一般に、対応するプラグにはめ合わされた時に、スレッド１５８の前側領域１５７の辺りで曲がる前回転ＰＩＣであり、ＰＩＣ５６と同じ／同様な特徴及び／または利点を示すことができる。
【００２８】
図１２は、ＰＩＣ１６０の側面を示している。ＰＩＣ１６０が、ＰＩＣ１６０４とＰＩＣ１６０６とのためのより長い形状と、ＰＩＣ１６０３とＰＩＣ１６０５とのためのより短い形状との、２つの別々の形状を備えることに留意する。しかしながら、各ＰＩＣ１６０は、柔軟ピン１７４と、第１の湾曲部１８６と、第２の湾曲部１８８と、上側ビーム部１９０と、上側ビーム部１９０を脚部１９４に結合する第１の結合部１９２と、脚部１９４を自由端部１９８に結合する（いくつかの実施形態では、「Ｃ字」形カーブとも呼ばれる）第２の結合部１９６とを含む。
【００２９】
ＰＩＣ１６０の設計は、ＲＪ４５のペア４：５及びペア３：６が、プラグ３６のプラグ接触部からＰＣＢ１４６までのより短い電気路を有することを可能にする。短くなった距離は、４：５ペアと３：６ペアとで生じ得る及び／または発生し得る望ましくないクロストークを減少させるのに役立つことができ、そうでなければ減少させることを補助することに役立つことができる。
【００３０】
図１３Ａは、前側スレッド１５８の正面斜視図を示している。スレッド１５８の前側領域１５７は、心棒１６８と、前側くし部１６４によって少なくとも部分的に離されている複数の溝１６９とを含む。前側くし部１６４は、各ＰＩＣを隣接するＰＩＣから離し、分離するのに役立ち、溝１６９は、ＰＩＣ１６０３とＰＩＣ１６０４とＰＩＣ１６０５とＰＩＣ１６０６との部分を収納する空洞を提供する。溝１６９は、床部１６６と、後壁部１６７と、（ラッチとも呼ばれ得る）突起形状部１６５とを含む。各溝は、一対の向かい合うラッチ１６５ｘＡとラッチ１６５ｘＢとを含み、それらは、ＰＩＣ１６０を床部１６６のごく近くに保つために使用される。ラッチ１６５ｘＡは、ラッチ１６５ｘＢの手前に置かれ、対応するラッチの各ペアがずれて形成されているようにする。そのような構成は、ＰＩＣの組み立てに役立つことができ、ＰＩＣ１６０の前側スレッド１５８への挿入中に、ＰＩＣ１６０の一時的な、好適には非塑性変形のための余地を提供する。後壁部１６７は、プラグの挿入中にＰＩＣ１６０が内側に動くことを、ＰＩＣ１６０が後方向に移動することを防ぐことによって防ぐ。図１３Ｂは、ＰＩＣ１５６とＰＩＣ１６０とがインストールされた、前側スレッド１５８を示している。
【００３１】
現在説明している実施形態では、ラッチ１６５は固い突起に成形されている。しかしながら、他の実施形態は、ラッチ１６５を、ＰＩＣ１６０の各溝の中で少なくともいくらかのＰＩＣ１６０の押さえを提供するというタスクを達成する、柔らかく、しなやかな、エラストマーの、及び／または移動可能な形状として実装することができる。さらに、現在説明している実施形態が、２つのラッチ１６５ｘＡ、１６５ｘＢを有する各溝１６９を示しているが、この構成は単に例示であり、溝１６９は任意の所望の数のラッチを含むことができる。
【００３２】
図１２と図１４との側面図で示す通り、ＰＩＣ１６０は、ＰＩＣ１６０をプラグ３６のプラグ接触部によってゆがめた時、ばねとして動作することができる第２の結合部１９６を有する。第２の結合部１９６は、十分な垂直抗力と堅固な接触を、ＰＩＣ１６０とプラグ３６のプラグ接触部との間で、プラグ接触部の位置の全範囲にわたって提供することに役立つことができる。ＰＩＣ１６０は、その自由端１９８において、床部１６６によって支えられる。ＰＩＣ１６０の間でクロストークの容量性カップリングの相対量を減らすために、ＰＩＣ１６０の物理的なずれが、第２の結合部１９６と自由端部１９８との領域に存在する。現在の実施形態では、交互にずらした構成は、ＰＩＣ１６０３とＰＩＣ１６０５との第２の結合部１９６３、１９６５の形状を、ＰＩＣ１６０４とＰＩＣ１６０６との第２の結合部１９６４、１９６６の形状と異ならせることによって達成される。交互にずらした構成は、クロストークの原因となっているＰＩＣ１６０間の間隔を広げ、それによって、クロストークのカップリングの量を減少させる。ＰＩＣ１６０のずれは、また、図１５に等尺性を保って示されている。
【００３３】
図１６は、前側スレッド部分組立品１４４の後面等角図を示している。後側くし部１７０は、前側スレッド１５８の特徴であり、スレッドの後部１５９において各ＰＩＣ１６０を隣接するＰＩＣ１６０から離している。ＰＩＣ１５６及びＰＩＣ１６０は、スレッド１５８に固定形状部１６２によって取り付けられる。いくつかの実施形態では、固定形状部１６２は杭状であることができる。図１６では、すべての固定形状部１６２が杭状に示されていることに留意する。しかしながら、固定形状部１６２３を除き、他のすべての固定形状部１６２は、それらの「成形されたままの」状態で示されている。１６２３のみが、組み立ての後にそうなるように、杭で支えられて示されている。したがって、固定形状部１６２が杭状である一実施形態では、すべての固定形状部１６２は、前側スレッド部分組立品１４４の最終組み立て状態において、固定形状部１６２３のようであることができる。
【００３４】
前側スレッド部分組立品１４４を組み立てるために、ＰＩＣ１５６及びＰＩＣ１６０を前側スレッド１５８に結合する。ＰＩＣ１５６は、先に説明した実施形態のＰＩＣ５６の前側スレッド５８への結合と同じ／同様な方法で結合される。ＰＩＣ１６０については、それらの第２の結合部１９６の湾曲を、前側スレッド１５８とはめ合わさる前に少なくとも部分的に形成して、自由端部１９８をラッチ１６５と床部１６６との間で適切に配置することを確実にしなければならない。第２の結合部１９６を、自由端部１９８を適切に配置することができるように形成したら、ＰＩＣ１６０を前側スレッド１５８に結合し、自由端部１９８が溝１６９の中に下り、正しい位置にラッチ１６５を介してはまることを可能にする。ＰＩＣ１６０は、固定形状部１６２によって、前側スレッド１５８の後部１５９の近くにさらに固定される。前側スレッド部分組立品１４４を組み立てた後、今度はそれをＰＣＢ１４６に取り付け、その後、前に説明した通り、ジャック１３４にインストールすることができる。
【００３５】
本発明の一実施形態による、前側スレッド部分組立品を有するジャックのさらに別の実施形態を図１７に示す。この図は、ジャック２３４の分解図を示し、ジャック２３４は、前側筐体２４２と、前側スレッド部分組立品２４４と、（いくつかの実施形態では、そこにクロストーク補償部品を有し得る）ＰＣＢ２４６と、ＩＤＣサポート２４８と、ＩＤＣ２５０と、後側筐体２５２と、ワイヤキャップ２５４とを含む。性質の異なるクロストーク軽減材料をジャック２３４の製造で使用することができる。
【００３６】
図１８Ａから図２０は、ＰＩＣ２５６と前側スレッド２５８とを有する前側スレッド部分組立品２４４をより詳細に示している。各ＰＩＣ２５６に対する下付きの数字は、ＡＮＳＩ／ＴＩＡ−５６８−Ｃ．２によって定義されるＲＪ４５のピン位置に対応する。ＰＩＣ２５６は、これらのＰＩＣが、一般に、スレッド２５８の後部２５９において曲がるため、「後回転」と呼ばれ得る。
【００３７】
図１９は、前側スレッド部分組立品２４４の側面図を示し、部分組立品が２つの別々の側面形状を有するＰＩＣを含んでいることを示している。ＰＩＣ２５６１は、ＰＩＣ２５６４とＰＩＣ２５６６とＰＩＣ２５６８とを代表する側面形状を有し、柔軟ピン２７４と、湾曲部２８０と、プラグ接触領域２８２と、脚部２８４と、自由端部２８６とを含む。ＰＩＣ２５６２は、ＰＩＣ２５６３とＰＩＣ２５６５とＰＩＣ２５６７とを代表する側面形状を有し、柔軟ピン２７４と、湾曲部２８８と、プラグ接触領域２８２と、脚部２８４と、自由端部２８６とを含む。自由端部２８６は、スレッド２５８の前側領域に配置された床部２９０に沿って支えられている。
【００３８】
図２０は、前側スレッド部分組立品２４４の平面図を示し、現在説明している実施形態に存在し得る追加的な特徴を示している。特に、スレッド２５８は、ＰＩＣ２５６を正しい位置に維持し、望まない自由度を削減及び／またはなくすための特徴を含む。スレッド２５８は、前側くし部２６０を含み、それは、各ＰＩＣ２５６を座標凡例２６２に対してｙ方向に揃える役割を果たす。（図２１に示す通り、スレッド２５８の上部２９４にも存在する）後側くし部２６４は、ＰＩＣ２５６をｘ方向及び／またはｙ方向に少なくとも部分的に制約する。ＰＩＣ２５６３及びＰＩＣ２５６５が、自由度を−ｘ方向でまだ保っているため、これらのＰＩＣは、それらの自由端部２８６に配置された「Ｔ字」形状２６６３と「Ｔ字」形状２６６５とをそれぞれ含む。「Ｔ字」形状２６６３及び「Ｔ字」形状２６６５は、ＰＩＣ２５６３及びＰＩＣ２５６５が、−ｘ方向に移動して、くし部２６０に入ることを少なくとも部分的に防ぐ。「Ｔ字」形状２６６１及び「Ｔ字」形状２６６８は、また、ＰＩＣ２５６１とＰＩＣ２５６８とにおいてもそれぞれ存在して、６極プラグが挿入された時、これらのＰＩＣが−ｘ方向に曲がらず、代わりに−ｚ方向に下向きにゆがむことを確実にする助けとなる。同じまたは同様の「Ｔ字」形状を、ＰＩＣ２５６２とＰＩＣ２５６７とにおいても実装して、ジャック２３４が４極プラグと互換性を有する助けとなることができる。
【００３９】
図１９に戻って参照すると、ＰＩＣ２５６は、それらがＲＪ４５プラグのプラグ接触部にプラグ接触領域２８２において（または、６極プラグを使用した時のＰＩＣ２５６１とＰＩＣ２５６８との場合、プラグの筐体に）接触した時、−ｚ方向にゆがむ。ＰＩＣ２５６が、プラグのはめ合わせ中に、−ｚ方向に接触領域２８２においてゆがむため、ＰＩＣ２５６の自由端部２８６は＋ｘ方向に滑る。自由端部２８６は、床部２９０と接触するための湾曲接触部２９２を含むことができる。そのような構成は、ジャック２３４の物理的性能を、自由端部２８６がｘ方向に沿ってより容易に滑ることを可能にすることによって向上させることができる。さらに、床部２９０による自由端部２８６の支えは、ＰＩＣ２５６とＲＪ４５プラグのプラグ接触部との間の接触面において垂直抗力を増加させることができる。これは、十分な電気接触を確保する上で有益であり得る。
【００４０】
図２１を参照すると、前側スレッド部分組立品２４４は、上部２９４と下部２９６とを有するツーピースのスレッド２５８を含む。結合された時、上部２９４及び下部２９６は、ＰＩＣ２５６をそれぞれの各位置に留める役に立つ。現在説明している実施形態では、上部２９４及び下部２９６は、ヒンジ部２７０を介してお互いにヒンジ連結されて取り付けられており、ラッチ２７２とラッチくぼみ２７４とを介して閉じた位置にロックする。しかしながら、代替的な実施形態は、ヒンジ部２７０を省略し、代わりに、上部２９４と下部２９６とを別々の部品として提供することができる。同様に、２つの部分のロックを、ラッチ２７２とラッチくぼみ２７４とに頼るかもしれず、頼らないかもしれない他の適切な手段によって達成することができる。さらに別の実施形態では、前側スレッド２５８を、組み立て時には分断されているブリッジによって上部と下部とが結合される、１つの部品として提供することができる。
【００４１】
図２２及び図２３は、前側スレッド部分組立品２４４の組み立てを示している。前側スレッド部分組立品２４４は、最初に、ＰＩＣ２５６をスレッド２５８の下部２９６の上に降ろすことによって製造される。すべてのＰＩＣ２５６がそれらの各位置に配置されると、図２３の矢印によって示す通り、スレッド２５８の上部２９４を、それが最初の開いた位置から約１８０°回転し、ラッチ２７２がラッチくぼみ２７４に係合するまで、ヒンジ部２７０を中心にして回転させ、前側スレッド部分組立品２４４の組み立てを完成させる。ラッチ２７２とラッチくぼみ２７４との係合により、上部２９４と下部２９６をロックし、ＰＩＣを動かないようにし、それらの望まない自由度を減らし及び／またはなくす。ＰＩＣを動かないようにすることは、ＰＩＣ２５６を柔軟ピン２７４の近くの領域に固定し、その領域でのそれらのｚ方向への移動を制限するブリッジ２７６（図１８Ａと図１８Ｂも参照）と、スレッド２５８の前部の近くでＰＩＣのｚ方向への動きを制限する前側ブリッジ２９８とによって少なくとも部分的に達成される。前側スレッド部分組立品２４４を組み立てた後、先に説明した通り、次にそれをＰＣＢ２４６に取り付け、その後ジャック２３４にインストールすることができる。
【００４２】
本発明の別の実施形態では（図２４から図３４）、ネットワークジャック３３４は、前側筐体３４２と、前側スレッド部分組立品３４４と、ＰＣＢ３４６と、ＩＤＣサポート３４８と、ＩＤＣ３５０と、後側筐体３５２と、ワイヤキャップ３５４とを含む。前側スレッド部分組立品３４４は、ＰＩＣ３５６と、ＰＩＣ３６０と、ＰＩＣ３６１と、プラスチック製のスレッド３５８とを含む。ジャック３３４及び本明細書で説明する他のジャックは、参照によりあたかも本明細書に完全に明記されるかのように組み込まれる、「Ｍｅｔｈｏｄ  ａｎｄ  ｓｙｓｔｅｍ  ｆｏｒ  ｉｍｐｒｏｖｉｎｇ  ｃｒｏｓｓｔａｌｋ  ａｔｔｅｎｕａｔｉｏｎ  ｗｉｔｈｉｎ  ａ  ｐｌｕｇ／ｊａｃｋ  ｃｏｎｎｅｃｔｉｏｎ  ａｎｄ  ｂｅｔｗｅｅｎ  ｎｅａｒｂｙ  ｐｌｕｇ／ｊａｃｋ  ｃｏｍｂｉｎａｔｉｏｎｓ」という題名のＵ．Ｓ．  Ｐａｔｅｎｔ  Ｎｏ．８，３６２，６３２（Ｓｔｒａｋａ他）において述べた、性質の異なる、クロストークを軽減する金属の薄片をさらに含むことができる。
【００４３】
図２５は、ＰＩＣ３５６とＰＩＣ３６０とＰＩＣ３６１と、スレッド３５８とを有する前側スレッド部分組立品３４４を示している。各ＰＩＣ３５６、３６０、３６１の下付きの番号は、ＡＮＳＩ／ＴＩＡ−５６８−Ｃ．２によって定義されるＲＪ４５のピン位置を表している。
【００４４】
前側スレッド部分組立品３４４の側面図を図２６に示す。ＰＩＣ３６０とＰＩＣ３６１とのずれも、図２７に等尺性を保って示している。ＰＩＣ３６１は、ＰＩＣ３６１がプラグ３６との接触によってゆがんだ時にばねとして動作する前側「Ｃ字」形カーブ３６８を有する。「Ｃ字」形カーブ３６８は、十分な垂直抗力と堅固な接触面を、ＰＩＣ３６１とプラグ３６の接触部との間で、プラグ接触部の位置の全範囲に渡って提供することに役立つ。ＰＩＣ３６１は、それらの自由端部においてプラスチック製のスレッド３５８の床部によって支えられる。本前側スレッド部分組立品３４４のこれらのペアの間の容量性クロストークと誘導性クロストークとをさらに減らすために、ＰＩＣ３６０は、ＰＩＣ３６１がプラグ３６との接触によってゆがんだ時に、これもまたばねとして動作する前側「Ｓ字」形カーブ３６９を有するが、「Ｓ字」形カーブ３６９は、クロストークのペアからさらに離れる。ペア３：５とペア４：６との間の補償を増加させるために、ＰＩＣ３６０３は、ペア３：５間の物理的距離を短くする湾曲部３７１を、ＲＪ４５プラグ３６のプラグ接触部と、ＰＩＣ３５６とＰＩＣ３６０とＰＩＣ３６１との間の電気接触点３７９の後に含む。この特徴は容量性補償と誘導性補償の両方を改善することができる。ＰＩＣ３６１６は、ペア４：６間の物理的距離を短くする湾曲部３７３を、電気接触点３７９の後に含む。この特徴もまた、容量性補償と誘導性補償の両方を改善することができる。ＰＩＣ３６１４は、ペア４：６間の物理的距離を短くする湾曲部３７５を、電気接触点３７９の後に含む。この特徴は容量性補償を改善することができる。ＰＩＣ３６０５は、ペア３：５間の物理的距離を短くする湾曲部３７７を、電気接触点３７９の後に含む。この特徴は容量性補償を改善することができる。湾曲部３７５及び湾曲部３７７は、電気接触点３７９の前で、ＰＩＣ３６１４とＰＩＣ３６０５との物理的交差となる。ペアのこの交差により、補償ペア間の距離が短くなる。
【００４５】
前側スレッド部分組立品３４４は、ＰＩＣ３５６とＰＩＣ３６０とＰＩＣ３６１との柔軟ピン３７２を、図２６に示す３つの異なる平面上に交互に配列する。これは、クロストークペアのさらなる分離を、柔軟ピン３７２４と柔軟ピン３７２６とを一番上の平面に、柔軟ピン３７２３と柔軟ピン３７２５とを真ん中の平面に、柔軟ピン３７２１と柔軟ピン３７２２と柔軟ピン３７２７と柔軟ピン３７２８とを一番下の平面に配置することによって可能にする。当業者は、ＰＩＣ３６０とＰＩＣ３６１との同じ電気的長さを有することが、前側スレッド部分組立品３４４の電気的バランスを改善するということを理解する。すべてのＰＩＣをほぼ同じ電気的長さにするために、湾曲部３７４がＰＩＣ３６１４とＰＩＣ３６１６とに追加されて、柔軟ピン３７２３と柔軟ピン３７２５とを真ん中の層に落とし、機械的強度を向上させるために必要な追加的な電気的長さを提供する。ＰＩＣ３６０及びＰＩＣ３６１は、また、ずれ３７６において見ることができる、可変の初期プラグ接触部の高さを有する。ずれ３７６は、電気的接触中のたわみの角度を変化させ、クロストークペア間の間隔を増加させることによってクロストークを最小限に抑える。
【００４６】
本発明の前回転ＰＩＣ３５６の等角図を図２８で見ることができる。
【００４７】
図２９は、前側スレッド部分組立品３４４の正面等角図である。ＰＩＣ３６０及びＰＩＣ３６１は、図２９の詳細図に示す通り、前側くし部３６２の間に配置され、ラッチ３６４（１つは下付文字「ａ」によって示され、もう１つのラッチは下付文字「ｂ」によって示されている、各ＰＩＣ３６０、３６１当たり少なくとも１つのラッチ３６４）によって保たれている。ラッチ３６４は、ＰＩＣ３６０とＰＩＣ３６１とを前側スレッド３５８の床部３６７のごく近くに保つために使用され、ＰＩＣ３６０が前側くし部３６２内で保護され、組み立て作業、たとえば、ボウルフィーディング中にダメージを受けないようにする。
【００４８】
図３０は、前側スレッド部分組立品３４４の後面等角図である。後側くし部３７０は、プラスチック製のスレッド３５８の形状であり、各ＰＩＣ３５６、３６０、３６１を隣接するＰＩＣから離す。ＰＩＣ３６０及びＰＩＣ３６１は、プラスチック製のスレッド３５８に、杭状部３７８によって固定される。図３０は、また、柔軟ピン３７２の３つの異なるレベルを示している。
【００４９】
図３１は、前側スレッド部分組立品３４４の底面等角図を示している。ＰＩＣ３５６は、プラスチック製のスレッド３５８に杭状部３８０によって固定されている。
【００５０】
図３２から図３４は、ＰＣＢのためのＰＣＢのレイアウトを示し、ペア３：６とペア４：５とのための補償を示している。さらに、図３２から図３４は、両方がその全体を参照により本明細書に組み込まれる、２０１２年１１月２０日に出願された、「Ｃｏｍｐｅｎｓａｔｉｏｎ  Ｎｅｔｗｏｒｋ  Ｕｓｉｎｇ  ａｎ  Ｏｒｔｈｏｇｏｎａｌ  Ｃｏｍｐｅｎｓａｔｉｏｎ  Ｎｅｔｗｏｒｋ」という題名のＵ．Ｓ．  Ｐａｔｅｎｔ  Ａｐｐｌｉｃａｔｉｏｎ  Ｐｕｂｌｉｃａｔｉｏｎ  Ｎｏ．２０１３／０１３０５６０（Ｂｏｌｏｕｒｉ−Ｓａｒａｎｓａｒ他）と、２０１３年５月３０日に出願された、「Ｃｏｍｍｕｎｉｃａｔｉｏｎ  Ｃｏｎｎｅｃｔｏｒ  ｗｉｔｈ  Ｃｒｏｓｓｔａｌｋ  Ｃｏｍｐｅｎｓａｔｉｏｎ」という題名のＵ．Ｓ．  Ｐａｔｅｎｔ  Ａｐｐｌｉｃａｔｉｏｎ  Ｐｕｂｌｉｃａｔｉｏｎ  Ｎｏ．２０１４／００１１３９３（Ｓｔｒａｋａ他）とにおいて示す方法に類似した技術を用いている。他のペアの組み合わせは、単一段階補償を用いることができ、または補償を必要としないかもしれない。すべての実施形態を、そのような補償方法、及び／または２段階補償などの他の知られている方法を含むように適応させることができる。
【００５１】
本発明を数個の実施形態の観点から説明したが、これらの実施形態は、（それらが例示的と示されたか否かに関わらず）非限定的であり、本発明の範囲に含まれる、変更と変形と同等物とがあるということに留意する。加えて、説明した実施形態は、お互いに排他的であると解釈されるべきではなく、代わりに、そのような組み合わせが許される場合、潜在的に組み合わせ可能であるとして理解されるべきである。本発明の方法と装置とを実装する、多くの代替的な方法があるということにも留意すべきである。したがって、後に続き得る特許請求の範囲は、本発明の真の精神と範囲とに含まれる、すべてのそのような変更と変形と同等物とを含むものとして解釈されることが意図される。
【符号の説明】
【００５２】
１  プラグ接触部
８  プラグ接触部
３０  通信システム
３２  配線盤
３４  ネットワークジャック
３６  プラグ
３８  ケーブル
４０  ケーブル
４２  前側筐体
４４  前側スレッド部分組立品
４８  圧接（ＩＤＣ）サポート
５２  後側筐体
５４  ワイヤキャップ
５７  前側領域
５８  前側スレッド
５９  後部
６２  固定形状部
６４  前側くし部
６８  前側心棒
７０  後側くし部
７２  固定形状部
７２  前側巻き部
７４  柔軟ピン
８０  下側ビーム部
８２  湾曲部
８４  自由端部
８６  第１の湾曲部
８８  第２の湾曲部
９０  上側ビーム部
９２  第１の結合部
９４  脚部
９６  第２の結合部
９８  自由端部
１３４  ネットワークジャック
１４２  前側筐体
１４４  前側スレッド部分組立品
１４８  サポート
１５２  後側筐体
１５４  ワイヤキャップ
１５７  前側領域
１５８  前側スレッド
１５９  後部
１６２  固定形状部
１６４  前側くし部
１６５  突起形状部（ラッチ）
１６６  床部
１６７  後壁部
１６８  心棒
１６９  溝
１７０  後側くし部
１７４  柔軟ピン
１８６  第１の湾曲部
１８８  第２の湾曲部
１９０  上側ビーム部
１９２  第１の結合部
１９４  脚部
１９６  第２の結合部
１９８  自由端部
２３４  後ジャック
２４２  前側筐体
２４４  前側スレッド部分組立品
２４８  サポート
２５２  後側筐体
２５４  ワイヤキャップ
２５８  前側スレッド
２５９  後部
２６０  前側くし部
２６４  後側くし部
２７０  ヒンジ部
２７２  ラッチ
２７４  柔軟ピン
２７６  ブリッジ
２８０  湾曲部
２８２  プラグ接触領域
２８４  脚部
２８６  自由端部
２８８  湾曲部
２９０  床部
２９２  湾曲接触部
２９４  上部
２９６  下部
２９８  前側ブリッジ
３３４  ネットワークジャック
３４２  前側筐体
３４４  前側スレッド部分組立品
３４８  サポート
３５２  後側筐体
３５４  ワイヤキャップ
３５８  前側スレッド
３６２  前側くし部
３６４  ラッチ
３６７  床部
３７０  後側くし部
３７１  湾曲部
３７２  柔軟ピン
３７３  湾曲部
３７４  湾曲部
３７５  湾曲部
３７７  湾曲部
３７８  杭状部
３７９  電気接触点
３８０  杭状部
１６２３  固定形状部
１９６３  第２の結合部
１９６４  第２の結合部
１９６５  第２の結合部
１９６６  第２の結合部
３７２１  柔軟ピン
３７２２  柔軟ピン
３７２３  柔軟ピン
３７２４  柔軟ピン
３７２５  柔軟ピン
３７２６  柔軟ピン
３７２７  柔軟ピン
３７２８  柔軟ピン
【図１】
2018120873.tif 000003
【図２】
2018120873.tif 000004
【図３】
2018120873.tif 000005
【図４Ａ】
2018120873.tif 000006
【図４Ｂ】
2018120873.tif 000007
【図４Ｃ】
2018120873.tif 000008
【図４Ｄ】
2018120873.tif 000009
【図４Ｅ】
2018120873.tif 000010
【図５】
2018120873.tif 000011
【図６Ａ】
2018120873.tif 000012
【図６Ｂ】
2018120873.tif 000013
【図７】
2018120873.tif 000014
【図８Ａ】
2018120873.tif 000015
【図８Ｂ】
2018120873.tif 000016
【図９】
2018120873.tif 000017
【図１０】
2018120873.tif 000018
【図１１】
2018120873.tif 000019
【図１２】
2018120873.tif 000020
【図１３Ａ】
2018120873.tif 000021
【図１３Ｂ】
2018120873.tif 000022
【図１４】
2018120873.tif 000023
【図１５】
2018120873.tif 000024
【図１６】
2018120873.tif 000025
【図１７】
2018120873.tif 000026
【図１８Ａ】
2018120873.tif 000027
【図１８Ｂ】
2018120873.tif 000028
【図１９】
2018120873.tif 000029
【図２０】
2018120873.tif 000030
【図２１】
2018120873.tif 000031
【図２２】
2018120873.tif 000032
【図２３】
2018120873.tif 000033
【図２４】
2018120873.tif 000034
【図２５】
2018120873.tif 000035
【図２６】
2018120873.tif 000036
【図２７】
2018120873.tif 000037
【図２８】
2018120873.tif 000038
【図２９】
2018120873.tif 000039
【図３０】
2018120873.tif 000040
【図３１】
2018120873.tif 000041
【図３２】
2018120873.tif 000042
【図３３】
2018120873.tif 000043
【図３４】
2018120873.tif 000044
【外国語明細書】
2018120873000001.pdf